(57)【特許請求の範囲】
【請求項１】
平面視略Ｌ字状の曲り継手本体の両端部に、軒樋の端部が接着される軒樋接続部が設けられてなる曲り継手において、
前記曲り継手本体の屋内側の側壁全体が屋外側に張り出して設けられ、この屋内側の側壁と、軒樋接続部の屋内側の側壁との連接部の下部に傾斜面取り壁が設けられ、この傾斜面取り壁が存在している軒樋接続部のコーナー部端面から前方に、略Ｌ字状の突出片が突設されていることを特徴とする曲り継手。
【請求項２】
平面視略Ｌ字状の曲り継手本体の両端部に、軒樋の端部が接着される軒樋接続部が設けられてなる曲り継手において、
前記曲り継手本体の屋内側の側壁全体が屋外側に張り出して設けられ、この屋内側の側壁と軒樋接続部の屋内側の側壁との連接部の内側に、曲り継手本体の屋内側側壁の継手内側への倒れ込みを防止する突っ張り部材が配置されていることを特徴とする曲り継手。
【発明の詳細な説明】
【０００１】
【発明の属する技術分野】
本発明は軒先の出隅部などにて用いられる曲り継手に関する。
【０００２】
【従来の技術】
従来からたとえば寄せ棟式の屋根の隅部では平面視Ｌ字状の曲り継手を用いて軒樋の接続を行っている。そして、曲り継手としては、屋根の出隅部で用いられる出隅タイプと、屋根の入隅部で用いられる入隅タイプとがある（たとえば実公昭５９−４０４９６号公報を参照）。
【０００３】
ところで、上記出隅タイプの曲り継手では、この曲り継手１と接着接続した両側の軒樋４が温度差によって収縮した場合、図５に示すように、曲り継手１は引っ張られることになる。その際、図６に示すように、建物の軒先側に位置する曲り継手本体２の後側壁２３の下部が積極的に引っ張られて軒先の鼻隠し板５に当たることになる。
【０００４】
このため、鼻隠し板５の前面が曲り継手１の軒樋接続部３の屋内側の側壁下部にて擦られて跡が残ったり、あるいは曲り継手本体２の隅角部が軒先のコーナー部にて股裂きされて曲り継手１が破損するという問題があった。また、曲り継手１の破損までは至らなくても、軒樋４との接続部に隙間が生じて接続部の止水性が低下するという問題があった。
【０００５】
なお、入隅タイプの曲り継手では、軒樋が伸長した場合、曲り継手は圧縮されることになるが、この場合は上記のような股裂きによる曲り継手本体の破損はほとんど生じない。６は軒樋４を支持するための樋支持具である。
【０００６】
【発明が解決しようとする課題】
このような股裂きによる曲り継手本体の破損を防止する曲り継手として、たとえば実用新案登録第２５１４９５９号公報では、接続方向が交差する向きに二つの軒樋接続部が形成されている曲り継手において、建物側に配設される一方の側壁の隅部が全高にわたって、屋外側に配設される他方の側壁の隅部に向かって突設されることにより、上下方向に連通した袋小路部が形成され、この袋小路部の奥側は曲面状となされ、かつ、この袋小路部がスリット部を介して建物側の隅部外部へ連通している曲り継手が開示されている。
【０００７】
しかしながら、この曲り継手でも軒樋の収縮をある程度は吸収できるが、大幅な軒樋の収縮を吸収するには無理があり、鼻隠し板の前面が曲り継手の軒樋接続部の屋内側の側壁下部にて擦られて跡が残ったり、あるいは軒樋との接続部に隙間が生じて接続部の止水性が低下するという問題が依然としてあった。
【０００８】
本発明の目的は、特に出隅タイプの曲り継手において、軒樋の収縮が原因で鼻隠し板の前面に傷が付かず、しかも、軒先のコーナー部において股裂きによる破損が生じない曲り継手を提供することである。
【０００９】
【課題を解決するための手段】
請求項１記載の本発明は、平面視略Ｌ字状の曲り継手本体の両端部に、軒樋の端部が接着される軒樋接続部が設けられてなる曲り継手において、前記曲り継手本体の屋内側の側壁全体が屋外側に張り出して設けられ、この屋内側の側壁と、軒樋接続部の屋内側の側壁との連接部の下部に傾斜面取り壁が設けられ、この傾斜面取り壁が存在している軒樋接続部のコーナー部端面から前方に、略Ｌ字状の突出片が突設されているているものである。
【００１０】
【００１１】
請求項２記載の本発明は、平面視略Ｌ字状の曲り継手本体の両端部に、軒樋の端部が接着される軒樋接続部が設けられてなる曲り継手において、前記曲り継手本体の屋内側の側壁全体が屋外側に張り出して設けられ、この屋内側の側壁と軒樋接続部の屋内側の側壁との連接部の内側に、曲り継手本体の屋内側側壁の継手内側への倒れ込みを防止する突っ張り部材が配置されているものである。
【００１２】
（作用）
請求項１記載の本発明においては、曲り継手本体の屋内側の側壁全体が屋外側に張り出して設けられ、この屋内側の側壁と、軒樋接続部の屋内側の側壁との連接部の下部に傾斜面取り壁が設けられているので、軒樋の収縮によって曲り継手が引っ張られて、曲り継手本体の屋内側側壁の継手内側への倒れ込みが生じても、連接部の下部に傾斜面取り壁が存在していることで、連接部の下部が鼻隠し板の前面への連接部下部の当接が防止される。このため、鼻隠し板の前面に擦り傷跡が残ったり、あるいは軒樋との接続部に隙間が発生して止水性が低下するということがない。また、股裂きによる曲り継手の破損を防止できる。
【００１３】
また、傾斜面取り壁が存在している軒樋接続部のコーナー部端面から前方に、略Ｌ字状の突出片が突設されているので、この突出片に対応する接続される軒樋のコーナー部を部分的に切り欠くことで、傾斜面取り壁が存在しているにもかかわらず、軒樋の端部を曲り継手の軒樋接続部と接続することができる。
【００１４】
請求項２記載の本発明においては、曲り継手本体の屋内側の側壁全体が屋外側に張り出して設けられ、この屋内側の側壁と軒樋接続部の屋内側の側壁との連接部の内側に、曲り継手本体の屋内側側壁の継手内側への倒れ込みを防止する突っ張り部材が配置されているので、軒樋の収縮によって曲り継手が引っ張られても、曲り継手本体の屋内側側壁の継手内側への倒れ込みが生じにくい。このため、軒先のコーナー部に曲り継手本体の隅角部が局部的に当たらず、つまり、局部的に引っ張り応力が集中せず、股裂きによる曲り継手の破損を防止できる。
【００１５】
【発明の実施の形態】
以下、本発明の実施の形態を図面に基づいて説明する。
図１は本発明の曲り継手の第１実施例を使用状態とともに示す斜視図、図２は図１の要部切断断面図である。
【００１６】
図１において、１は硬質塩化ビニル樹脂製の９０度曲り継手であり、軒先の出隅部分にて用いられるものである。曲り継手１は平面視Ｌ字状の曲り継手本体２と、この曲り継手本体２の両端部に一体に設けられた軒樋接続部３、３とから構成されている。曲り継手本体２および両軒樋接続部３の内面形状は、接続される軒樋の外面形状とほぼ符合した形状とされている。
【００１７】
曲り継手本体２は底部２１と、この底部２１の両側から立設された前側壁２２と、後側壁２３とから構成されている。前側壁２２はわずかに外方に張り出して、その下部には段部が設けられている。後側壁２３はほぼ垂直に立設している。そして、図１および図３から明らかなように、後側壁２３全体が屋外側に張り出して設けられている。つまり、曲り継手１を軒先のコーナー部に配設した際、鼻隠し板５の前面との間において、両軒樋接続部３の部分よりも広めの隙間が生じるようになっている。前側壁２２が後側壁２３よりも高くされている。両軒樋接続部３の前側壁３２および後側壁３３の上端部には、軒樋４の耳部４１を係止する断面コ字状の係止片３２１、３３１がそれぞれ設けられている。
【００１８】
そして、曲り継手本体２の後側壁２３と、軒樋接続部３の後側壁３３との連接部の下部には傾斜面取り壁３３２が設けられている。また、この傾斜面取り壁３３２が存在している両軒樋接続部３のコーナー部近傍の端面から、略Ｌ字状の突出片３３３がそれぞれ前方に一体に突設されている。
【００１９】
つぎに、この曲り継手１を用いて、建物の軒先に軒樋を配設する方法を説明する。まず、鼻隠し板５の前面に所定間隔をおいて樋支持具６を取り付け、この樋支持具６にて軒樋４を支持する。軒樋４は底壁４１と、この底壁４１の両側から立設された前側壁４２および後側壁４３とからなっている。前側壁４２および後側壁４３の上端にはそれぞれ断面コ字状の耳部４２１、４３１が設けられている。そして、軒先の出隅部に位置する両軒樋４、４の端部外面に、あらかじめ両軒樋接続部３、３の内面に接着剤を塗布した曲り継手１の軒樋接続部３、３を嵌合して接続する。なお、突出片３３３の内面にも接着剤を塗布しておく。
【００２０】
その際、図１に示すように、接続する前に、突出片３３３に対応する軒樋４のコーナー部近傍の壁部を部分的に切り欠いて切欠部４３１ａを形成しておくことで、軒樋接続部３の奥側に傾斜面取り壁３３２が存在しているにもかかわらず、軒樋４の端部を曲り継手１の軒樋接続部３と接続することができる。
【００２１】
この曲り継手１では、曲り継手本体２の後側壁２３全体が屋外側に張り出して設けられているので、曲り継手１を軒先のコーナー部に配設した際、鼻隠し板５の前面との間において、両軒樋接続部３の部分よりも広めの隙間を取ることができる。このため、曲り継手１が両軒樋４、４の収縮によって引っ張られても、ある程度のところまでは、曲り継手本体２の後側壁２３が鼻隠し板５の前面に当たらず、鼻隠し板５の前面に傷が付かない。
【００２２】
また、曲り継手本体２の後側壁２３と、軒樋接続部３の後側壁３３との連接部の下部に傾斜面取り壁３３２が存在していることで、曲り継手１が引っ張られても、軒樋接続部３の後側壁３３の下部が鼻隠し板５の前面に当たらず、鼻隠し板５の前面に傷が付かない。
【００２３】
さらに、軒樋４のコーナー部近傍の壁部に切欠部４３１ａが存在しているにもかかわらず、曲り継手１の両軒樋接続部３のコーナー部近傍の端面から突出片３３３がそれぞれ突設されているので、この突出片３３３の存在によって実質的に接着面積は増大することになる。このため、切欠部４３１ａの存在にかかわらず、接続部の止水性は良好に保持される。
【００２４】
図４は本発明の曲り継手の第２実施例（請求項３に対応）を示す斜視図である。なお、上記第１実施例と同一の部分については同一の符号を付して説明を省略する。
【００２５】
図において、曲り継手本体２の後側壁２３全体は、上記第１実施例と同様に、屋外側に張り出して設けられている。この場合、曲り継手本体２の後側壁２３と、軒樋接続部３の後側壁３３との連接部の下部に傾斜面取り壁３３２を設ける代わりに、後側壁２３と軒樋接続部３の後側壁３３との連接部の内側に、く字状の突っ張り部材３３２ａの一端を固定し、連接部の底部に突っ張り部材３３２ａの他端を固定している。この突っ張り部材３３２ａは、曲り継手本体の後側壁２３の継手内側への倒れ込みを防止するものである。
【００２６】
このように、後側壁２３と軒樋接続部３の後側壁３３との連接部の内側にく字状の突っ張り部材３３２ａが配置されていることにより、曲り継手本体２の後側壁２３の継手内側への倒れ込みを防止することができ、このため、軒先コーナー部において、曲り継手本体２の股裂きによる破損が生じない。
【００２７】
上記実施例では、軒先の出隅部で用いられる曲り継手を図示したが、軒先の入隅部で用いられる曲り継手に適用することも可能である。
【００２８】
【発明の効果】
請求項１の本発明においては、曲り継手本体の屋内側の側壁全体が屋外側に張り出して設けられ、この屋内側の側壁と、軒樋接続部の屋内側の側壁との連接部の下部に傾斜面取り壁が設けられているので、軒樋の収縮によって曲り継手が引っ張られて、曲り継手本体の屋内側側壁の継手内側への倒れ込みが生じても、連接部の下部に傾斜面取り壁が存在していることで、連接部の下部が鼻隠し板の前面への連接部下部の当接が防止される。
【００２９】
このため、鼻隠し板の前面に擦り傷跡が残ったり、あるいは軒樋との接続部に隙間が生じて止水性が低下するということがない。また、股裂きによる曲り継手の破損を防止できる。
【００３０】
また、傾斜面取り壁が存在している軒樋接続部のコーナー部端面から前方に、略Ｌ字状の突出片が突設されているので、この突出片に対応する接続される軒樋のコーナー部を部分的に切り欠くことで、傾斜面取り壁が存在しているにもかかわらず、軒樋の端部を曲り継手の軒樋接続部と接続することができる。
【００３１】
請求項２記載の本発明においては、曲り継手本体の屋内側の側壁全体が屋外側に張り出して設けられ、この屋内側の側壁と軒樋接続部の屋内側の側壁との連接部の内側に、曲り継手本体の屋内側側壁の継手内側への倒れ込みを防止する突っ張り部材が配置されているので、軒樋の収縮によって曲り継手が引っ張られても、曲り継手本体の屋内側側壁の継手内側への倒れ込みが生じにくい。
【００３２】
このため、軒先のコーナー部に曲り継手本体の隅角部が局部的に当たらず、つまり、局部的に引っ張り応力が集中せず、股裂きによる曲り継手の破損を防止できる。
【図面の簡単な説明】
【図１】本発明の曲り継手の第１実施例を使用状態とともに示す斜視図である。
【図２】図１の要部切断断面図である。
【図３】図１の曲り継手の使用状態を示す斜視図である。
【図４】本発明の曲り継手の第２実施例を示す斜視図である。
【図５】従来の曲り継手の変形状態を示す説明図である。
【図６】図５の要部切断断面図である。
【符号の説明】
１、１Ａ  曲り継手
２  曲り継手本体
２１  底部
２２  前側壁
２３  後側壁
３  軒樋接続部
３２  前側壁
３３  後側壁
３２１、３３１  係止片
３３２  傾斜面取り壁
３３２ａ  突っ張り部材
３３３  突出片
４  軒樋
４３１ａ  切欠部
５  鼻隠し板
６  樋支持具
【図１】
0003554669.tif 000002
【図２】
0003554669.tif 000003
【図３】
0003554669.tif 000004
【図４】
0003554669.tif 000005
【図５】
0003554669.tif 000006
【図６】
0003554669.tif 000007